(57)【要約】  ビデオソースからビデオシンクにビデオ信号をアナログ伝達するための方法であって、ビデオ信号が全画像のシーケンスを含み、これらの全画像はビデオソースにて第１画像解像度及び第１画像周波数で存在し、全画像のシーケンスが物理的な伝達のために、第１画像解像度よりも小さい第２画像解像度と第１画像周波数よりも高い画像周波数とを有する画像区分のシーケンスへと変換され、それらの画像区分のシーケンスがビデオソースからビデオシンクに伝達され、伝達された画像区分のシーケンスからビデオシンクにて、第１画像解像度を有する全画像のシーケンスが再構成される、前記方法において、第１画像解像度が１つのビデオ規格による全画像の画像解像度よりも大きく、第２画像解像度が前記ビデオ規格による全画像又は半画像の画像解像度と同じであること。本発明は、そのような方法に並び、本発明に従う方法で使用するために適している、ビデオソース、ビデオシンク、プリプロセッサ、ポストプロセッサに関する。
2009503960.tif 000002
【特許請求の範囲】
【請求項１】
ビデオソースからビデオシンクにビデオ信号をアナログ伝達するための方法であって、ビデオ信号が全画像のシーケンスを含み、これらの全画像はビデオソースにて第１画像解像度及び第１画像周波数で存在し、全画像のシーケンスが物理的な伝達のために、第１画像解像度よりも小さい第２画像解像度と第１画像周波数よりも高い画像周波数とを有する画像区分のシーケンスへと変換され、それらの画像区分のシーケンスがビデオソースからビデオシンクに伝達され、伝達された画像区分のシーケンスからビデオシンクにて、第１画像解像度を有する全画像のシーケンスが再構成される、前記方法において、
第１画像解像度が１つのビデオ規格による全画像の画像解像度よりも大きく、第２画像解像度が前記ビデオ規格による全画像又は半画像の画像解像度と同じであることを特徴とする方法。
【請求項２】
ビデオ信号が自動車両内で伝達されることを特徴とする、請求項１に記載の方法。
【請求項３】
第１画像解像度がＮＴＳＣ規格或いはＰＡＬ規格による全画像の画像解像度よりも大きく、第２画像解像度がＮＴＳＣ規格或いはＰＡＬ規格による半画像の画像解像度と同じであることを特徴とする、請求項１又は２に記載の方法。
【請求項４】
第２画像周波数が前記のビデオ規格による全画像或いは半画像を伝達するための典型的な画像周波数と同じであることを特徴とする、請求項１〜３のいずれか一項に記載の方法。
【請求項５】
画像区分のシーケンスが、第２画像解像度及び第２画像周波数を有する全画像或いは半画像を伝達するために設計されている規格化された伝達区間を介して伝達されることを特徴とする、請求項１〜４のいずれか一項に記載の方法。
【請求項６】
ビデオシンクにて再構成された全画像のシーケンスが、先ずもってビデオソースにて存在する全画像のシーケンスと同じ画像周波数を有することを特徴とする、請求項１〜５のいずれか一項に記載の方法。
【請求項７】
ビデオシンクにて再構成された全画像のシーケンスが、先ずもってビデオソースにて存在する全画像のシーケンスと同じであることを特徴とする、請求項１〜６のいずれか一項に記載の方法。
【請求項８】
ビデオシンクにて再構成された全画像のシーケンスが、先ずもってビデオソースにて存在する全画像のシーケンスよりも高い画像周波数を有することを特徴とする、請求項１〜７のいずれか一項に記載の方法。
【請求項９】
各画像区分の伝達後に新しい全画像がビデオシンクにて再構成され、それにより、再構成されたシーケンスの画像周波数が、伝達された画像区分のシーケンスの画像周波数と同じであることを特徴とする、請求項１〜８のいずれか一項に記載の方法。
【請求項１０】
ビデオソースにて存在する各々の全画像が少なくとも３つの画像区分に分割されることを特徴とする、請求項１〜９のいずれか一項に記載の方法。
【請求項１１】
各画像区分が、ビデオソースにて存在する全画像の少なくとも１つの関連部分を含んでいることを特徴とする、請求項１〜１０のいずれか一項に記載の方法。
【請求項１２】
ビデオソースにて存在する各全画像が、ＮＴＳＣビデオ規格による半画像の画像解像度を各々に有する正確に４つの画像区分に分割されることを特徴とする、請求項１〜１１のいずれか一項に記載の方法。
【請求項１３】
請求項１〜１２のいずれか一項に記載の方法で使用するためのビデオソースにおいて、ビデオソース或いはビデオソース内に含まれているプリプロセッサが、１つのビデオ規格による全画像の画像解像度よりも大きい画像解像度を有する全画像の入シーケンスを、前記のビデオ規格の全画像又は半画像の画像解像度と同じ画像解像度を有する画像区分の出シーケンスへと変換することに適していることを特徴とするビデオソース。
【請求項１４】
請求項１〜１２のいずれか一項に記載の方法で使用するためのプリプロセッサにおいて、プリプロセッサが、１つのビデオ規格による全画像の画像解像度よりも大きい画像解像度を有する全画像の入シーケンスを、前記のビデオ規格の全画像又は半画像の画像解像度と同じ画像解像度を有する画像区分の出シーケンスへと変換することに適していることを特徴とするプリプロセッサ。
【請求項１５】
請求項１〜１２のいずれか一項に記載の方法で使用するためのビデオシンクにおいて、ビデオシンク或いはビデオシンク内に含まれているポストプロセッサが、１つのビデオ規格の全画像又は半画像の画像解像度と同じ画像解像度を有する画像区分の入シーケンスから、前記のビデオ規格の全画像の画像解像度よりも大きい画像解像度を有する全画像のシーケンスを再構成することに適していることを特徴とするビデオシンク。
【請求項１６】
請求項１〜１２のいずれか一項に記載の方法で使用するためのポストプロセッサにおいて、ポストプロセッサが、１つのビデオ規格の全画像又は半画像の画像解像度と同じ画像解像度を有する画像区分の入シーケンスから、前記のビデオ規格の全画像の画像解像度よりも大きい画像解像度を有する全画像のシーケンスを再構成することに適していることを特徴とするポストプロセッサ。
【発明の詳細な説明】
【技術分野】
【０００１】
本発明は、ビデオソース（ビデオ源）からビデオシンク（ビデオ受側）にビデオ信号をアナログ伝達するための方法に関し、本方法ではビデオ信号が全画像（フレーム）のシーケンスを含み、これらの全画像はビデオソースにて第１画像解像度及び第１画像周波数で存在し、本方法では全画像のシーケンスが物理的な伝達のために、第１画像解像度よりも小さい第２画像解像度と第１画像周波数よりも高い画像周波数とを有する画像区分（画像セグメント）のシーケンスへと変換され、本方法ではそれらの画像区分のシーケンスがビデオソースからビデオシンクに伝達され、更に本方法では伝達された画像区分のシーケンスからビデオシンクにて、第１画像解像度を有する全画像のシーケンスが再構成される。
更に本発明は、そのような方法で使用するためのビデオソースに関する。
更に本発明は、そのような方法で使用するためのプリプロセッサ（前処理プログラム）に関する。
更に本発明は、そのような方法で使用するためのビデオシンクに関する。
更に本発明は、そのような方法で使用するためのポストプロセッサ（後処理プログラム）に関する。
【背景技術】
【０００２】
ビデオ信号は原則的にアナログ方式又はデジタル方式で伝達され得る。アナログ画像伝達は様々な観点において確かにデジタル画像伝達よりも妨害されやすい。しかしアナログ画像伝達は通常はより低価格で実現可能である。また妨害されやすさの意味は、短い区間に渡って結線式の伝達が実現されるならば目立たなくなる。このことは例えば現代の自動車両（モータビークル）内の多くの適用に関する課題提示に対応し、それ故、自動車分野では主として画像伝達のためにアナログ方法が使用される。
【０００３】
今日幅広く使用されていて最も有利であるビデオ信号用アナログ伝達方法は元々はテレビ技術のために開発されたＦＢＡＳ方法（ＣＶＢＳ コンポジットビデオ）にあり、この方法は画像情報を伝達するために輝度信号（ルミナンス又はＹ）及び変調された色補助キャリア信号（クロミナンス又はＣ）を利用する。通常の放送伝達では両方の信号は送信側で１つの信号（コンポジットビデオ）にまとめられ、受信側で再び分離される。それらの信号の分離は技術的にトリビアルでなく品質損失と結び付いているので、それらの信号は結線式のスタジオ技術及びプロフェッショナルなホームユーザ領域において多くの場合は分離（Ｙ／Ｃ）されて別個のラインを通じて伝達される。ヨーロッパの中では多くの場合は３つの個々のコンポーネント信号（ＲＧＢ）の伝達が例えばＳＣＡＲＴインタフェースを介した娯楽源とテレビ受像機の間で使用される。この伝達方法のためには規格が定義（例えばＰＡＬ又はＮＴＳＣ）されていて、これらの規格は制限された周波数帯（典型的には６.７５ＭＨｚ）内で両方の信号の組み合わされた伝達を可能にする。この規格化は自動車分野においても幅広い使用と有利なコンポーネントの使用可能性を導くことになった。つまりこの方法は今日では自動車両内で、ＴＶ受信機、ＤＶＤチェンジャ、様々なカメラソース、それに付属の表示ユニットの間における信号伝達のために使用される。
【０００４】
周波数帯の上限（例えば６.７５ＭＨｚ）は伝達されるビデオ信号の達成可能な局所解像度のための上側の限界を定義する。つまり例えばＮＴＳＣ規格は、各々５２５ラインでライン毎に８５７の走査値を有する、秒毎に３０の個々の全画像（フレーム）の伝達を定義している（６.７５ＭＨｚｘ２走査値／振動＝１３.５ＭＨｚ＝３０フレームｘ５２５ラインｘ８５７サンプル）。この際、個々の全画像は半分のライン数を有する半画像（フィールド）として伝達される。この際、幾つかのラインとライン毎の幾つかの走査値は実際の画像データのために利用されるのではなく同期信号（ＨＳＹＮＣ、ＶＳＹＮＣ）の伝達のために利用され、それによりＮＴＳＣでは例えば全画像毎に７２０ｘ４８０画素のアクティブな画像解像度、或いは半画像毎に７２０ｘ２４０画素のアクティブな画像解像度が得られる。
【０００５】
確かにそのような規格化された伝達方法の画像解像度は、自動車両内で今日慣用であり移動する画像内容（例えば、エンターテイメント、逆走用カメラ）を伴う適用及び表示ユニットの大部分のためには十分である。しかし高解像度の表示ユニットの新たな適用及び比較的低コストの使用可能性は、より高い画像解像度（例えば８００ｘ４８０ピクセル又は１２８０ｘ４８０ピクセル）を有するビデオ信号の表示を要求することになった。ところが普及されている規格（例えばＮＴＳＣ）により伝達されるビデオ信号を変更しないで高解像度の表示ユニット上で表示することはアンダーサンプリングを導き、従って中でも個々の画素（画像点）の描写において顕著な品質損失を導く。この短所は、例えば、ナビゲーションカード、ウェブブラウザ、テキスト表示、カメラ画像内の目印線及びシンボル表示などのような詳細な画像内容を表示する場合には特に深刻になる。
【０００６】
これらの問題を排除するために今日では個々の適用事例で別の伝達方式が使用され、これらの伝達方式は例えば伝達周波数を増加させる又はむしろ画像データのデジタル伝達を意図している。これらの方法は十分に良好な結果をもたらすが、高い技術手間とそれに対応してより高いコストと結び付いている。このことは、様々な伝達方法の使用によりシステム内のビデオシンクが、様々な伝達方法を利用するビデオソースのための様々な入力をもたなければならない場合に特に当てはまる。
【発明の開示】
【発明が解決しようとする課題】
【０００７】
本発明の課題は、高解像度のビデオシンクのために十分な画像品質でビデオ信号を伝達するための、冒頭に掲げた種類における簡単な方法を創作することである。
本発明の他の課題は、そのような方法で使用するためのプリプロセッサを創作することである。
本発明の他の課題は、そのような方法で使用するためのビデオソースを創作することである。
本発明の他の課題は、そのような方法で使用するためのポストプロセッサを創作することである。
本発明の他の課題は、そのような方法で使用するためのビデオシンクを創作することである。
【課題を解決するための手段】
【０００８】
最初に述べた課題は、本発明に従い、第１画像解像度が１つのビデオ規格による全画像の画像解像度よりも大きく、第２画像解像度が前記ビデオ規格による全画像又は半画像の画像解像度と同じである方法により解決される。
【０００９】
特許請求項１の前提部分と原則的に類似する方法は飛越し走査方法をもって画像をアナログ記録し、伝達し、表示するために知られている。この際、全画像はライン毎に交差された２つの半画像に分割され、これらの半画像が相前後して伝達される。しかし本発明と異なりそのような方法ではソースフォーマットと伝達フォーマットと表示フォーマットが典型的には同じであり、つまり記録と伝達と表示では各々常に半画像だけが取り扱われている。所定の場合には伝達された半画像から引き続きそのような方法においても全画像が再構成される。しかし例えば従来技術に従うカーコミュニケーションコンピュータ（ＣＣＣ）やプログレッシブスキャンディスプレイにおける２つの半画像から１つの全画像への変換は描写フォーマット（全画像）に対するソースフォーマット（半画像）の必要不可欠な適合だけを意味し、ソースフォーマットと伝達フォーマットはここでも同じである。それとは異なり本発明に従う方法は、品質的により高い、特により高解像された別のソースフォーマットを効果的に伝達し、ビデオシンクにて評価し、例えば表示へともたらすために「半画像伝達」を利用する。
【００１０】
本発明に従い適用される方法は周知の方法から特許請求項１の特徴部分の構成要件により特に区別される。しかし従来技術から知られている方法に対する本発明の実際の差異は、先行段落で既に記述され後続段落でも記述される異なった境界条件及び目標設定のため、特徴部分の構成要件の単純な付加を遥かに超えるものとなる。
【００１１】
特許請求項１の前提部分の構成要件が従来技術から知られているかぎり、これらの構成要件はそこでは本発明とは完全に別の目的のために用いられる。従来技術に従う方法では全画像の分割によりビデオシンクにおける表示周波数の増加が努められるが、この観点は本発明ではむしろ副次的なものとして観察される。全く反対で本発明は多くの場合の実施形態に応じむしろ表示周波数の負担になる。しかし表示周波数に代わり本発明では既に特許請求項１の前提部分の構成要件により、効果的に伝達されるビデオ信号の画像解像度を増加させることが努められる。特許請求項１の前提部分の構成要件を追加的な構成要件と結び付けることにより以下に記述する本発明の長所が得られる。
【００１２】
本発明の主な長所は、従来技術に従い既に使用することのできる現存の低コストの画像伝達方法の手段を用い、効果的にビデオシンクに伝達されるビデオ信号に関し、ここでは通常どおり画素をもって提示される場所解像度を意味するが、より高い画像解像度が達成される。従って画像伝達の品質に対する多くの適用の高い要求は超過コストを伴わず或いは極めて低いコストで満たされる。例えば高解像度の表示ユニットがこの方式でより良く利用され得る。例えばカメラを基礎にした運転者援助システムのための画像処理するビデオシンクには本発明により同様に僅かな手間で高品質の入力ビデオ信号が供給され得る。
【００１３】
本発明の有利な実施形態に従い、第１画像解像度はＮＴＳＣ規格或いはＰＡＬ規格による全画像の画像解像度よりも大きく、第２画像解像度は、対応するビデオ規格、即ちＮＴＳＣ規格或いはＰＡＬ規格による半画像の画像解像度と同じである。ＮＴＳＣ規格或いはＰＡＬ規格においては多くの場合は半画像が伝達される。幅広く普及されているこのビデオ規格の半画像を伝達するために適している装置及び方法は、それ故、特に低コストで使用可能である。従来技術に従い、伝達されるＮＴＳＣ半画像或いはＰＡＬ半画像は通常ではペアでライン毎に交差されている。しかしこのことは使用することのできる伝達技術の利用にとって必ずしも必要なことではない。物理的な伝達のために使用することのできる方法及び装置は、任意の画像区分がＮＴＳＣ半画像或いはＰＡＬ半画像のデータフォーマットを有するのであれば、同じ方式で任意の画像区分の伝達のために使用され得る。それに対応し、ビデオソースにて存在する高解像された全画像は、ここで述べられている本発明の実施形態に従い、そのような半画像のデータフォーマットを有する画像区分へと分割される。
【００１４】
対応することが、ＮＴＳＣ規格或いはＰＡＬ規格による全画像或いは例えばＳＥＣＡＭである別のビデオ規格による半画像又は全画像のデータフォーマットでの画像区分の伝達に当てはまる。例えば、ＰＡＬ全画像を伝達するための適切な手段が使用可能であるならば、伝達される画像区分の画像解像度をＰＡＬ規格による全画像の画像解像度と同じに選択することは有利である。
【００１５】
好ましくは、伝達のために使用されるビデオ規格の画像解像度と画像区分の画像解像度が一致するだけではない。好ましくはそれに加え、第２画像周波数、即ち伝達される画像区分の画像周波数が、前記のビデオ規格、特にＮＴＳＣ又はＰＡＬによる全画像或いは半画像を伝達するための典型的な画像周波数と同じである。従ってそのようなビデオ規格による画像伝達のために適している装置及び方法が特に簡単に本発明のために使用され得る。第２画像解像度、即ち画像区分の画像解像度が前記のビデオ規格による半画像の画像解像度と同じであるならば、第２画像周波数としては前記のビデオ規格による半画像を伝達するための典型的な画像周波数が特に有利である。第２画像解像度が前記のビデオ規格による全画像の画像解像度と同じであるならば、第２画像周波数としては前記のビデオ規格による全画像を伝達するための典型的な画像周波数が特に有利である。
【００１６】
今まで述べられた本発明の構成要件と実施形態は、実際に伝達すべきビデオ信号を物理的な伝達のために所定のデータフォーマットの画像区分へとパックするために用いられる。それに対応し、物理的な伝達のためにはそのようなデータフォーマットの伝達のために設計されている伝達手段も使用される。好ましくは画像区分のシーケンスは、第２画像解像度及び第２画像周波数を有する全画像或いは半画像を伝達するために設計されている規格化された伝達区間を介して伝達される。
【００１７】
ビデオシンクにて再構成された全画像のシーケンスは、先ずもってビデオソースにて存在する全画像のシーケンスと同じであり得て、特に両方のシーケンスは同じ画像周波数を有し得る。最後の実施形態は、常に、新しい完全な全画像を再構成可能とする全ての画像区分の伝達後に始めて、新しい全画像が再構成され、ビデオシンクにより利用され、例えば表示ユニットにより表示される場合に特に有意義である。
【００１８】
選択的に、ビデオシンクにて再構成された全画像のシーケンスは、先ずもってビデオソースにて存在する全画像のシーケンスよりも高い画像周波数を有し得て、特に再構成されたシーケンスの画像周波数は物理的に伝達された画像区分のシーケンスの画像周波数と同じであり得る。最後の実施形態は、個々の各画像区分の伝達後に新しい全画像が再構成され、ビデオシンクにより利用される場合に有意義である。
【００１９】
再構成される全画像シーケンスはビデオシンクにより、典型的には表示ユニットによりその固有の画像周波数で又はビデオシンクの有利な画像周波数で処理され得る。好ましくは再構成される全画像シーケンスはビデオシンクの有利な画像周波数で再構成され、表示へともたらされる。このようにしてビデオシンクが最適に利用され、不必要な再構成手間が回避される。
【００２０】
ビデオシンクの有利な画像周波数が再構成された全画像シーケンスの画像周波数を超過するのであれば、再構成された個々の又は全ての全画像は、ビデオシンクの有利な画像周波数を維持するために反復して表示へともたらされ得る。
【００２１】
本発明に従う方法は、ビデオソースにて存在する画像単位、ここでは全画像であるがそのデータフォーマット（特に画像解像度及び場合により画像周波数）と、伝達区間を介して物理的に伝達すべき画像単位、ここでは画像区分であるがそのデータフォーマットとの間の脱結合（デカップリング）を達成する。物理的に伝達すべき画像単位の画像解像度が先ずもって存在する全画像よりも小さく選択されることにより、制限されているバンド幅を有する使用可能な伝達区間への適合が成功する。このようにして効果的にほぼ任意に高い画像解像度の全画像のシーケンスが伝達され得る。しかしこの際、境界条件として、効果的に伝達される全画像シーケンスの画像周波数がその増加する画像解像度と共に強制的に低下するということを顧慮しなくてはならない。
【００２２】
確かに画像解像度の本発明に従う増加は効果的に伝達される全画像シーケンスの画像周波数の負担になる。しかしこのことは多くの適用時、特に停止している又はゆっくりと動いているに過ぎない画像内容を表示する場合には、品質損失を伴わずに或いは極めて僅かな品質損失だけをもって許容可能である。この際、本発明は、自動車両内の画像表示の多くの現代的な適用では（例えば、ナビゲーションカード、ウェブブラウザ、テキスト表示、カメラ画像内の目印線及びシンボルなどの表示）まさにそのような停止している又はゆっくりと動いているに過ぎない画像内容が表示されなくてはならないという事実を考慮している。この際、自動車両内の画像表示の現代的な適用は自動車両外の画像表示のための典型的な適用とは本質的に区別される。それに対応し、本発明は好ましくは自動車両内でビデオ信号を伝達するために適用される。
【００２３】
減少された画像周波数の短所は自動車環境において自動車両内の表示ユニットの利用者の典型的な利用特性により更に減少される。自動車両内の表示ユニットは、自動車両外の表示ユニットと異なり、多くの場合は比較的短期でのみ利用者により観察される。例えば運転者が自分の位置をルート上で管理するためのナビゲーションカードに目をやる時間は、多くの場合は数秒だけである。そのように短い観察時間では、減少された画像周波数により容易にギクシャクとした動きとする画像影響が観察者により邪魔なものとしては主観的に感知されず、それ故、本発明に従い、より短い観察時には遥かに重要な画像解像度に重きを置くことができる。更に自動車両内の多くの適用時には、いずれにしろ、新しいデータは、表示ユニットの画像周波数或いは効果的に本発明に従い伝達可能な全画像シーケンスの画像周波数よりも遥かに少ない更新レートでのみ使用することができる。
【００２４】
原則的に、ビデオソースにて存在する高解像された全画像のピクセルは伝達される個々の画像区分へと任意に分配され得る。高解像された全画像がそれらの画像区分から再構成可能でなければならないだけである。
【００２５】
好ましくは各画像区分はビデオソースにて存在する唯一の全画像だけの部分を含んでいる。選択的には、個々の画像区分がビデオソースにて存在する複数の全画像の部分を含んでいるという本発明のバリエーションが想定可能である。
【００２６】
好ましくは各画像区分はビデオソースにて存在する高解像された全画像の少なくとも１つの関連部分を含んでいる。本発明の特に有利な実施形態に従い各画像区分はビデオソースにて存在する高解像された全画像の唯一の関連部分から成る。
【００２７】
伝達された画像区分は分離的な画像情報を含み得る。このようにして効果的に特に多くの画像情報、即ち特に大きい全画像がビデオソースからビデオシンクに伝達され得る。選択的に画像区分は重複情報を含み得る。例えば様々な画像区分内に含まれている高解像された全画像の部分が全画像内で互いにオーバーラップされ得る。
【００２８】
本発明に従う方法により効果的に伝達された全画像の画像解像度を実際に増加し得るためには、ビデオ規格の半画像の画像解像度を用いて画像区分を伝達する場合、ビデオソースにて存在する各々の全画像が少なくとも３つの画像区分に分割される。ビデオ規格の全画像の画像解像度を用いて画像区分を伝達する場合には、ビデオソースにて存在する各々の全画像が少なくとも２つの画像区分に分割されることにより、本発明に従う方法により効果的に伝達された全画像の画像解像度の増加が既に可能である。
【００２９】
本発明の有利な実施形態に従いビデオソースには画像解像度１４４０ｘ４８０の高解像された全画像のシーケンスが存在し、ビデオソースにて存在する各全画像はＮＴＳＣビデオ規格の半画像の画像解像度を有する４つの画像区分に分割され、ＮＴＳＣビデオ規格の半画像の画像解像度を有するこれらの画像区分が物理的に伝達される。この場合、高解像された全画像を４つの画像区分へと技術的に特に簡単に分割することはビデオソースにて存在する全画像の単純な４分割により可能である。
【００３０】
好ましくは、本発明に従う方法により効果的に伝達可能な全画像の画像解像度は少なくともビデオシンクにて必要とされる画像解像度と同じ大きさである。例えば画像解像度１４４０ｘ４８０の全画像は１４４０ｘ４８０画素を有する表示ユニット上でこのような表示ユニットが使用可能であるならば直接的に表示へともたらされ得る。実際には多くの場合、本発明に従う方法により効果的に伝達可能な全画像の画像解像度とビデオ規格の画像解像度との間に位置する画素総数をもった表示ユニットを使用することができる。例えば現代の自動車両内では多くの場合は１２８０ｘ４８０画素を有する表示ユニット上での表示が努められている。そのような場合、本発明に従う方法により、より高い画像解像度を有する全画像シーケンスが伝達され得る。その後、再構成された全画像はトリミングされ得る又は表示ユニットの画像解像度にスケーリングされ得る。選択的には既に再構成時にビデオシンクの有利な画像解像度への適合が行われ得る。
【００３１】
本発明に従う方法は追加的なプログラミングにより、従来技術から知られていて低コストで使用可能な多種のグラフィックプロセッサ上で実現され得る。選択的に本発明は将来的なグラフィックプロセッサにおける比較的な簡単な相互接続（相互配線）により実現され得る。
【００３２】
上述の実施形に対応し、本発明の２番目に挙げた課題は、１つのビデオ規格による全画像の画像解像度よりも大きい画像解像度を有する全画像の入シーケンスを、前記のビデオ規格の全画像又は半画像の画像解像度と同じ画像解像度を有する画像区分の出シーケンスへと変換することに適しているビデオソースにより解決される。
【００３３】
この際、ビデオソースはプリプロセッサを含み得る。このプリプロセッサは別個でも実施され得る。本発明の３番目に挙げた課題は、それに対応し、１つのビデオ規格による全画像の画像解像度よりも大きい画像解像度を有する全画像の入シーケンスを、前記のビデオ規格の全画像又は半画像の画像解像度と同じ画像解像度を有する画像区分の出シーケンスへと変換することに適しているプリプロセッサにより解決される。
【００３４】
そのようなビデオソース或いはそのようなプリプロセッサは従来技術によるグラフィックプロセッサを僅かに修正することにより製造され得る。通常ではビデオソースは、新しい画像ｎ＋１が完全に生成されるに至るまで画像ｎを伝達のために使用可能にしている。この際、例えば飛越し走査方法では画像ｎに関し交互に全ての偶数ライン、その後に全ての奇数ラインが半画像又は「フィールド」として伝達される。通常では画像メモリからのこれらの半画像の伝達は半画像の第１ラインの第１画素のスタートアドレスとライン長の設定だけを要求する。半画像の残りの画素とラインの出力は対応するアドレスインクレメンタにより自動的に行われる。このプロセスは、スタートアドレスとライン長が高解像された全画像の個々の画像区分の第１ラインの第１画素に順次的に設定されるように容易に修正され得る。そして画像区分の残りの画素とラインの伝達は個々の半画像の伝達に対応して行われる。
【００３５】
上述の実施形に対応し、本発明の４番目に挙げた課題は、１つのビデオ規格の全画像又は半画像の画像解像度と同じ画像解像度を有する画像区分の入シーケンスから、前記のビデオ規格の全画像の画像解像度よりも大きい画像解像度を有する全画像のシーケンスを再構成することに適しているビデオシンクにより解決される。
【００３６】
この際、ビデオシンクはポストプロセッサを含み得る。このポストプロセッサは別個でも実施され得る。本発明の５番目に挙げた課題は、それに対応し、１つのビデオ規格の全画像又は半画像の画像解像度と同じ画像解像度を有する画像区分の入シーケンスから、前記のビデオ規格の全画像の画像解像度よりも大きい画像解像度を有する全画像のシーケンスを再構成することに適しているポストプロセッサにより解決される。
【００３７】
そのようなビデオシンク或いはそのようなポストプロセッサは従来技術によるグラフィックプロセッサを僅かに修正することにより製造され得る。通常のグラフィックプロセッサは半画像の入画素を画像メモリ内に保存する可能性を提供する。その後この画像メモリの内容は更に処理され及び／又は表示へともたらされ得る。この際、グラフィックプロセッサは既に全画像の表示（プログレッシブディスプレイ）並びに２つの半画像から１つの全画像の再構成（所謂ＢＯＢまたはＷＥＡＶＥ方法によるディインターレーシング）を支援する。この方法は２つの半画像を既に入画素の記憶時につなぎ合わせるか又は全画像の出力時に交互に偶数ラインと奇数ラインを表示へともたらす。これらのプロセスは、画像メモリの領域のアドレス指定時の簡単な修正により、個々の画像区分の入画素の保存時に既に高解像された画像の再構成が画像メモリ内で行われるように修正されるか、又は出力プロセスが、その都度マッチする画像区分が画像メモリから読み出されて表示へともたらされるように修正される。これらの修正はグラフィックプロセッサのハードウェア又はファームウェアの拡張として実施され得る。それに加えてグラフィックプロセッサは、様々な画像メモリ内容を、例えば続いているビデオ画像上のオンスクリーンディスプレイの伝達のようなオーバーラップもされ得る所謂レイヤ（層）の形式の出力時に組み合わせるという可能性を既に提供する。この際、一般的に１つのレイヤは関連する画像メモリの領域（スタートアドレス及びライン長）を定義し、この領域は矩形領域の形式（スタートポジション及びライン長）で自由に表示領域内に位置決めされ、表示へともたらされ得る。これらのレイヤ・パラメータは、グラフィックプロセッサの一部として又は追加的なプロセッサとして実施され得る自由にプログラミング可能なプロセッサを用い、静的（スタティック）に又は動的（ダイナミック）に設定され得る。その後、再構成された全画像の表示は、プログラムであって、表示サイクル（ＶＳＹＮＣ）の開始時にレイヤ・パラメータを、各レイヤが割り当てられた画像区分をマッチする箇所で表示へともたらすようにプログラミングするプログラムにより実現され得る。画像ｎ＋１の全ての画像区分が到着したのであれば、レイヤ・パラメータは画像ｎの画像区分からｎ＋１の画像区分へと置き換えられ得る。画像ｎ＋２の新しい画像区分は平行して画像メモリ内に保存される。画像ｎの画像区分のために使用されたメモリは、後に画像ｎ＋３の画像区分を記録するなど（リングバッファ方法）のために解放され得る。
【００３８】
本発明に従う方法は画像情報の実際の物理的な伝達のために現存のビデオ規格を遵守する。従って現存のビデオ規格によるビデオ信号と高解像された画像内容とを共同で伝達させ得る低コストの全システムが達成される。
【００３９】
本発明に従う方法はビデオ伝達のための存在する最適コストのメソッドを基礎とし、従ってより手間のかかる伝達方法の追加的なコストを回避している。従来技術による方法に対し、高解像された画像内容の画像品質と読取り可能性の向上が図られている。
【発明を実施するための最良の形態】
【００４０】
添付の図面に基づき本発明を更に説明する。
【実施例１】
【００４１】
図１には本発明に従う方法の原理フローが具現化されている。以下において本発明の有利な実施形態に基づき詳細に説明する本発明に従う方法は、高解像された全画像（フレーム）１０のシーケンスを画像区分（画像セグメント）１１のシーケンスに変換すること、並びに表示すべき全画像１２のシーケンスを再構成することを含んでいる。
【００４２】
ビデオソース１には高解像された全画像１０のシーケンス（画像解像度１４４０ｘ４８０）が存在する。ビデオソース１内に組み込まれているプリプロセッサ２がこれらの全画像１０の各全画像を物理的な伝達前に個々の画像区分１１に分解する。画像区分１１はＮＴＳＣ半画像（７２０ｘ２４０画素（画像点））の画像解像度を有する。各全画像１０は４つの画像区分１１に分解される。
【００４３】
各全画像を４つの画像区分へと分けることが図２に具現化されている。図２は画像解像度１４４０ｘ４８０の全画像１０を全体として示している。図２内で全画像１０は実線により縁取られている。図２内の破線は画像区分１１ａ、１１ｂ、１１ｃ、１１ｄへの全画像の区分けを特徴付けている。各画像区分は全画像１０の関連部分を含んでいる。
【００４４】
全画像１０のシーケンスを分けることにより発生する画像区分１１のシーケンスは全画像１０のシーケンスの４倍の画像周波数を有する。本例において全画像１０のシーケンスは１５Ｈｚの画像周波数を有する。それに対応し、画像区分１１のシーケンスは６０Ｈｚの画像周波数を有する。
【００４５】
従って画像区分１１の画像解像度がＮＴＳＣ半画像の画像解像度に対応するだけでなく、画像区分１１のシーケンスの画像周波数も、ＮＴＳＣビデオ規格によるＮＴＳＣ半画像を伝達する画像周波数に対応する。従って画像区分１１のシーケンスは、ＮＴＳＣビデオ規格によるＮＴＳＣ半画像を伝達するために設計されている規格化された伝達区間を介して問題なく伝達される。使用することのできる伝達区間３がこれらの要求を満たす。
【００４６】
画像区分１１のシーケンスは、存在するＮＴＳＣ方法を用い、物理的に伝達区間３を介してビデオシンク４に伝達される。１つの全画像の各々４つの画像区分の伝達は、例えば、ａ、ｂ、ｃ、ｄの順番で行われる。図３は伝達区間３の占有配置の時間経過状況からの一部分を示している。両方の鎖線間には、４つの画像区分１１にパックされ、完全な全画像１０の情報が伝達される。
【００４７】
ビデオシンク４はポストプロセッサ５を含み、このポストプロセッサ５は画像区分１１のシーケンスを受信し、再び画像解像度１４４０ｘ４８０の全画像１２のシーケンスに合成する。この際、プリプロセッサ２により全画像から分解された各々４つの画像区分から全画像１２が再構成される。再構成された全画像１２は、以前はビデオソースにて存在した全画像１０と実質的に同一である。
【００４８】
従来技術に従うグラフィックプロセッサを僅かに修正することでポストプロセッサの役割を担わせることができる。そのようなグラフィックプロセッサは通常は低コストで使用することができる。全画像１２は例えば互いに適合調整された保存処理によりグラフィックプロセッサのグラフィックメモリの対応する領域内で合成され得る。その他、ポストプロセッサの物理的な受信過程は正に従来技術から知られている方式で行なわれ得る。
【００４９】
同様に従来技術に従うグラフィックプロセッサを僅かに修正することでビデオソース１内のプリプロセッサ２の役割を担わせることができる。特にプリプロセッサの物理的な送信過程は正に従来技術から知られている方式で行なわれ得る。従ってそのためにも通常は低コストのハードウェアを使用することができる。
【００５０】
ビデオシンク４は全画像１２の再構成されたシーケンスを表示ユニットの画像反復率（ここでは６０Ｈｚ）で表示へともたらされる、即ち各全画像１２は４回表示される。
【００５１】
伝達されるビデオ信号の効果的な画像周波数は、本発明に従う方法により、高解像された全画像毎の画像区分の数（ここでは４）で割り、伝達方法（ここでは６０Ｈｚを有するＮＴＳＣ）の半画像周波数（フィールドレート）へと減少される。本事例でこのことは１５Ｈｚの効果的な画像周波数で結果として現れる。
【００５２】
本実施例においてビデオシンク４は１２８０ｘ４８０画素の解像度と６０Ｈｚの有利な表示周波数を有する表示ユニットとして実施されている。従って効果的に伝達されたビデオ信号の画素を表示ユニットの画素に直接的に変換する際、表示される画像の流れが両側でトリミングされる。
【００５３】
説明した本実施例では、１４４０ｘ４８０・全画像が物理的な伝達のために４つの７２０ｘ７２０・半画像に分解されることで、１２８０ｘ４８０ｘ６０Ｈｚ・表示ユニットの完全な解像度が従来の７２０ｘ２４０ｘ６０Ｈｚ・Ｙ／Ｃ・ビデオ信号によりコントロールされ得る。この際、効果的な画像周波数は確かに秒毎に１５全画像へと低下されるが、このことは特に自動車両内の多くの適用では短所をもたらすことではなく、またもたらしたとしても極めて僅かである。従来の７２０ｘ２４０ｘ６０Ｈｚ・Ｙ／Ｃ・ビデオ信号による、従って従来のハードウェアコンポーネントの使用のもと、高解像された全画像を伝達することの長所の方が重要である。
【図面の簡単な説明】
【００５４】
【図１】本発明に従う方法のフローを示す図である。
【図２】伝達すべき全画像を本発明に従い４つの画像区分に分けることを示す図である。
【図３】使用される伝達区間の占有配置の時間経過状況からの一部分を示す図である。
【符号の説明】
【００５５】
１      ビデオソース
２      プリプロセッサ
３      伝達区間
４      ビデオシンク
５      ポストプロセッサ
１０    全画像
１１    画像区分
１２    全画像
【図１】
2009503960.tif 000003
【図２】
2009503960.tif 000004
【図３】
2009503960.tif 000005
【国際調査報告】
2009503960.tif 000006
2009503960.tif 000007
2009503960.tif 000008
2009503960.tif 000009
2009503960.tif 000010
2009503960.tif 000011